(57)【要約】      （修正有）【課題】安全性が確保されたフライホイールモジュールを提供する。【解決手段】フライホイールモジュール１は、開口を備える閉じたハウジング３と、前記開口を通って外方に延在する出力シャフト６により形成される出力５とを有する。シーリングリング７は、出力シャフトと開口の境界壁との間に存在する。フライホイール９は、ハウジング３内に収容され、フライホイールは、トランスミッション１３の第１ギアにクラッチ１１を介して接続され、トランスミッション１３の他のギアは、遠心解放式クラッチ１５の第１部１５Ａに接続され、他の部１５Ｂは出力シャフト６に接続される。これにより、フライホイールが高すぎる速度で回転し始めるのが防止され、フライホイールモジュールの安全性が保証される。【選択図】図１
2015155758.tif 000002
【特許請求の範囲】
【請求項１】
少なくとも１つのフライホイールと出力とを含み、駆動機構に接続することができるフライホイールモジュールであって、
前記駆動機構は、駆動源と、メイントランスミッションと、前記メイントランスミッションに前記駆動源を接続する駆動ラインとを含み、
前記出力と前記フライホイールとの間にクラッチが存在し、
前記クラッチは、遠心解放式クラッチであり、ある速度を越えると解放し、
前記フライホイールモジュールは、前記フライホイールを収容するハウジングを含み、前記フライホイールが固定されるシャフトは、前記ハウジングに対してシールされ、前記ハウジング内に負圧が存在し、
前記フライホイールモジュールは、前記遠心解放式クラッチと前記フライホイールとの間の存在し、前記ハウジング内に収容される補助クラッチを含む、
フライホイールモジュール。
【請求項２】
前記遠心解放式クラッチは、少なくとも１つの摩擦面にそれぞれ設けられる２つのクラッチ部品を含み、前記摩擦面のそれぞれは連携して働き、前記遠心解放式クラッチは、前記クラッチ部品の一方と共に回転するハウジングであって、他方のクラッチ部品から解放されるハウジングを含む、請求項１に記載のフライホイールモジュール。
【請求項３】
前記フライホイールモジュールは、前記遠心解放式クラッチと前記フライホイールとの間にトランスミッションを含む、請求項１又は２に記載のフライホイールモジュール。
【請求項４】
前記フライホイールモジュールは、前記遠心解放式クラッチと前記フライホイールとの間にトランスミッションを含み、
前記トランスミッションは、前記ハウジング内に収容される、請求項３に記載のフライホイールモジュール。
【請求項５】
前記遠心解放式クラッチは、前記フライホイールハウジング内に存在する、請求項１〜４のうちのいずれか１項に記載のフライホイールモジュール。
【請求項６】
駆動源と、メイントランスミッションと、前記メイントランスミッションに前記駆動源を接続する駆動ラインとを含むと共に、請求項１〜５のうちのいずれか１項に記載のフライホイールモジュールとを含み、
前記フライホイールモジュールの出力は、前記駆動源又は前記駆動ラインに接続される、駆動装置。
【請求項７】
前記出力と前記駆動源との間に第２のトランスミッションが存在する、請求項６に記載の駆動装置。
【請求項８】
前記出力と前記駆動源との間に第２のクラッチが存在する、請求項６又は７に記載の駆動装置。
【発明の詳細な説明】
【技術分野】
【０００１】
本発明は、少なくとも１つのフライホイールと出力と含み、駆動ラインに接続することができるフライホイールモジュールに関する。出力は、例えば、フライホイールが固定されるシャフトである。
【背景技術】
【０００２】
この種のフライホイールモジュールは一般的に知られている。フライホイールモジュールに適用するとき、安全性のため、フライホイールが高すぎる速度で回転し始めないことに注意が払われなければならない。
【発明の概要】
【発明が解決しようとする課題】
【０００３】
本発明の目的は、冒頭の段落で定義する種のフライホイールモジュールであって、安全性が確保されたフライホイールモジュールを提供することである。
【課題を解決するための手段】
【０００４】
このため、本発明によるフライホイールモジュールは、遠心解放式クラッチは、出力とフライホイールとの間に設けられ、ある速度を越えると解放することを特徴とする。これにより、フライホイールが破壊する可能性が高いフライホイールが最大速度を越えて回転上昇することが防止される。
【０００５】
遠心解放式クラッチは、好ましくは、少なくとも１つの摩擦面にそれぞれ設けられる２つのクラッチ部品を含み、摩擦面のそれぞれは連携して働き、遠心解放式クラッチは、クラッチ部品の一方と共に回転するハウジングであって、他方のクラッチ部品から解放されるハウジングを含む。
【０００６】
本発明のフライホイールモジュールの一実施例では、フライホイールモジュールは、フライホイールを収容するハウジングを含み、フライホイールが固定されるシャフトは、ハウジングに対してシールされ、ハウジング内に負圧が存在する。ハウジング内の負圧は、好ましくは、５０ミリバール以上である。これは、空気抵抗損失を提言し、フライホイールを回転上昇させ、正規の速度で維持するために必要なエネルギを低減する。
【０００７】
エネルギが必要とされない場合に回転上昇したフライホイールを可能な限り低速に回転低下させるため、本発明によるフライホイールモジュールの更なる実施例は、遠心解放式クラッチとフライホイールとの間の存在するクラッチを含むことを特徴とする。クラッチは、好ましくは、ハウジング内に設けられ、従って、フライホイールが解放されたとき、シール位置での摩擦損失は、フライホイールに影響しない。
【０００８】
本発明によるフライホイールモジュールの更なる実施例は、フライホイールモジュールは、遠心解放式クラッチとフライホイールとの間にトランスミッションを含むことを特徴とする。これにより、フライホイールは、外部の駆動源により、より高い速度まで回転上昇されることができる。
【０００９】
トランスミッションは、好ましくは、ハウジング内に存在し、従って、空気抵抗からの影響が低減される。さらに、遠心解放式クラッチは、好ましくは、空気抵抗の低減のためにフライホイールハウジング内に存在する。
【００１０】
本発明は、また、出力シャフトを備える駆動源と、本発明によるフライホイールモジュールとを含む駆動装置であって、フライホイールモジュールの出力は、駆動源の出力シャフトに接続される、駆動装置に関する。駆動源は、例えばエンジンにより形成される。
【００１１】
出力と駆動源との間には、好ましくは、第２のトランスミッション及び／又は第２のクラッチが存在する。
【図面の簡単な説明】
【００１２】
【図１】本発明によるフライホイールモジュールの一実施例の概略図。
【図２】本発明によるフライホイールモジュールの第２実施例を含む駆動装置の概略図。
【図３】遠心解放式クラッチの第１実施例の図。
【図４】遠心解放式クラッチの第２実施例の図。
【発明を実施するための形態】
【００１３】
以下、図面に示された本発明によるフライホイールモジュール及び駆動装置の実施例を参照して、本発明の詳細な説明を更に行う。
【００１４】
図１は、本発明によるフライホイールモジュールの一実施例を概略図で示す。フライホイールモジュール１は、開口を備える閉じたハウジング３と、開口を通って外方に延在する出力シャフト６により形成される出力５とを有する。シーリングリング７は、出力シャフトと開口の境界壁との間に存在する。フライホイール９は、ハウジング３内に存在し、フライホイール９は、トランスミッション１３の第１ギアにクラッチ１１を介して接続され、トランスミッション１３の他のギアは、遠心解放式クラッチ１５の第１部１５Ａに接続され、遠心解放式クラッチ１５の他の部１５Ｂは出力シャフト６に接続される。
【００１５】
図２は、本発明によるフライホイールモジュールの第２実施例を含む駆動装置１７を概略図で示す。駆動装置１７は、駆動源１９を含み、駆動源１９は、第２クラッチ２１を介して、フライホイールモジュール２３に接続されると共に、トランスミッション２５のインプットシャフトに接続される。このトランスミッションは、更に、車両の車輪２７に接続される出力シャフトを含む。
【００１６】
フライホイールモジュール２３は、トランスミッション３３にクラッチ３１を介して接続されるフライホイール２９を有し、トランスミッション３３は、遠心解放式クラッチ３５に接続される。この遠心解放式クラッチは、出力３９に接続される第２トランスミッション３７に接続される。フライホイール２９は、開口を有する閉じたハウジング４１内に存在し、開口を通って、シャフト４３が延在し、シャフト４３にはフライホイール２９が固定される。シール４５は、シャフト４３とハウジング４１の間に存在する。ハウジング内には負圧が存在する。
【００１７】
図３は、図１及び図２に示すフライホイールモジュールで使用されてもよい遠心解放式クラッチの第１実施例を示す。遠心解放式クラッチ４７は、それぞれ摩擦面を備える２つのクラッチ部品４７Ａ，４７Ｂを含み、解放式クラッチが閉じているときに当該摩擦面を介してトルクが伝達される。クラッチ部品４７Ｂは、フライホイールの側に存在し、クラッチ部品４７Ａは、駆動ラインの側に存在する。
【００１８】
遠心解放式クラッチは、クラッチ部品４７Ａと共に回転するハウジング４９であって、回転ベアリング５０の存在により他のクラッチ部品４７Ｂから解放されるハウジング４９を含む。遠心解放式クラッチ４７は、スプリング５１，５３によりクラッチ部品に付与される予張力により閉じられる。
【００１９】
速度が上昇すると、遠心力の結果、ボール５５は、クラッチ部品４７Ａ及びハウジング４９を互いに向かう方に押す。その結果、スプリング５３は、位置境界５７を満たす。その結果、スプリング５３は、もはやクラッチ部品４７Ｂに力を負荷できず、従って、摩擦面状のスラスト力が消える。クラッチは解放状態となる。
【００２０】
スプリング５１及び５３は、僅かに予張力をもってハウジング４９内に配置される。その結果、位置境界５７の遊びが使い果たされたときも摩擦面上の正規の力は変化しない。しかしながら、遊びが完全に使い果たされると、正規の力は急激に低下する。
【００２１】
この構造の利点は、クラッチの開から閉又はその逆の遷移が非常に突然生じ、従って、スリップ時間が非常に短いことである。これは、クラッチの磨耗や過熱に対して効果的であり、結果としてこれらが最小化される。
【００２２】
図４は、遠心解放式クラッチ５９の第２実施例を示す。第１クラッチ部品は、ここでは、第２クラッチ部品５９Ｂと摩擦接触する２つの部品５９Ａ１，５９Ａ２を含む。ハウジング６１は、部品５９Ａ１，５９Ａ２と共に回転し、摩擦力によりクラッチ部品５９Ｂから解放される。部品５９Ａ１，５９Ａ２は、ベアリング６１と同様、遠心力により外方に押されるボール６３により共に押される。これにより、遠心解放式クラッチは、非常に小さい回転窓内で解放及び係合させられる。この回転窓は、遠心力の大きさや位置境界の遊びにより調整することができる。このようにして、フライホイールの過回転を防止でき、これにより、システムの安全性が保証される。
【００２３】
本発明は、図面を参照して上述されているが、本発明は、如何なる態様であれ図面に示される実施例に限定されるべきでない。本発明は、また、請求項により定義された精神及び範囲内で図面に示された実施例から逸脱する全ての実施例までカバーする。
【図１】
2015155758.tif 000003
【図２】
2015155758.tif 000004
【図３】
2015155758.tif 000005
【図４】
2015155758.tif 000006